(57)【要約】【課題】ＩＦＦＴクロックの基となる電圧制御発振器の発振出力の温度変動等の影響を受けることなく、放送ＲＦ信号のＭＥＲを良好に維持する。【解決手段】ＩＦＦＴクロック調整装置１００は、設定されたＤＡＣデータをＤＡＣ２０を介して電圧制御発振器４０に印加することにより、当該アナログ信号に応じた周波数の発振出力をＯＦＤＭ変調器７１へクロック信号として供給する。電圧制御発振器４０から出力される発振出力に基づいてその発振周波数（または発振周期）に依存して変化するデジタル値を生成するデジタル値生成手段（カウンタ５０）およびＭＥＲ測定器８０を用いて放送ＲＦ信号のＭＥＲを測定しながらＤＡＣデータを更新し、測定値のほぼ最大値が得られたときのデジタル値を目標デジタル値として不揮発性メモリ３０に記録する。その後、電圧制御発振器４０の発振出力に基づくデジタル値と目標デジタル値とを逐次比較し、両デジタル値の誤差が所定範囲内になるまでＤＡＣデータを更新する。【選択図】図１
2014168164.tif 000002
【特許請求の範囲】
【請求項１】
放送ＴＳを受けてＯＦＤＭ変調を行うＯＦＤＭ変調器とその出力を放送ＲＦ信号に変換するアップコンバータとを有するデジタルテレビジョン放送装置に用いられるＯＦＤＭ変調器用のＩＦＦＴクロックを調整するＩＦＦＴクロック調整装置であって、
設定されたＤＡＣデータをアナログ信号に変換するデジタルアナログ変換器と、
前記デジタルアナログ変換器から出力されたアナログ信号に応じた周波数の発振出力を発生し、前記ＯＦＤＭ変調器へクロック信号として供給する電圧制御発振器と、
前記電圧制御発振器から出力される発振出力に基づいてその発振周波数または発振周期に依存して変化するデジタル値を生成するデジタル値生成手段と、
前記放送ＲＦ信号に基づいて、そのＭＥＲを測定するＭＥＲ測定器によるＭＥＲ測定を行いながら、前記ＤＡＣデータを更新し、測定値のほぼ最大値が得られたときの前記デジタル値を目標デジタル値として不揮発的に記録するデータ記録手段と、
制御手段とを備え、
前記制御手段は、
前記ＤＡＣデータの設定・更新、前記ＭＥＲ測定器によるＭＥＲ測定および前記データ記録手段の動作を制御するとともに、
前記データ記録手段により前記デジタル値が記録された後、前記デジタル値生成手段から得られるデジタル値と前記目標デジタル値とを逐次比較し、
両デジタル値の誤差が所定範囲内になるまで前記ＤＡＣデータを更新する
ＩＦＦＴクロック調整装置。
【請求項２】
前記データ記録手段は、前記ＭＥＲ測定器により測定値のほぼ最大値が得られたときの前記ＤＡＣデータを基準ＤＡＣデータとして不揮発的に記録し、
前記制御手段は、両デジタル値の誤差が所定範囲内になるまで、前記誤差に応じて前記基準ＤＡＣデータを増減する
請求項１に記載のＩＦＦＴクロック調整装置。
【請求項３】
前記デジタル値生成手段は、前記電圧制御発振器から出力される発振出力を単位時間カウントしたカウント値を前記デジタル値として出力するカウンタを有する請求項１または２に記載のＩＦＦＴクロック調整装置。
【請求項４】
前記デジタル値生成手段は、前記電圧制御発振器から出力される発振出力の所定個数のパルスをカウントする期間内に、基準クロックをカウントしたカウント値を前記デジタル値として出力するカウンタを有する請求項１または２に記載のＩＦＦＴクロック調整装置。
【請求項５】
前記制御手段は、前記ＭＥＲの最大値を検出するために、まず、広い周波数範囲で粗い周波数インターバルでＭＥＲの計測を行い、ついで、粗い周波数インターバルで見つかった最大値を含む狭い周波数範囲でより細かい周波数インターバルでＭＥＲの計測を行う請求項１〜４のいずれかに記載のＩＦＦＴクロック調整装置。
【請求項６】
放送ＴＳを受けてＯＦＤＭ変調を行うＯＦＤＭ変調器とその出力を放送ＲＦ信号に変換するアップコンバータとを有する放送装置と、
前記ＯＦＤＭ変調器に用いられるＯＦＤＭ変調器用のＩＦＦＴクロックを調整するＩＦＦＴクロック調整装置とを備え、
前記ＩＦＦＴクロック調整装置は、
設定されたＤＡＣデータをアナログ信号に変換するデジタルアナログ変換器と、
前記デジタルアナログ変換器から出力されたアナログ信号に応じた周波数の発振出力を発生し、前記ＯＦＤＭ変調器へクロック信号として供給する電圧制御発振器と、
前記電圧制御発振器から出力される発振出力に基づいてその発振周波数または発振周期に依存して変化するデジタル値を生成するデジタル値生成手段と、
前記放送ＲＦ信号に基づいて、そのＭＥＲを測定するＭＥＲ測定器によるＭＥＲ測定を行いながら前記ＤＡＣデータを更新し、測定値のほぼ最大値が得られたときの前記デジタル値を目標デジタル値として不揮発的に記録するデータ記録手段と、
制御手段とを備え、
前記制御手段は、
前記ＤＡＣデータの設定・更新、前記ＭＥＲ測定器によるＭＥＲ測定および前記データ記録手段の動作を制御するとともに、
前記データ記録手段により前記デジタル値が記録された後、前記デジタル値生成手段から得られるデジタル値と前記目標デジタル値とを逐次比較し、
両デジタル値の誤差が所定範囲内になるまで前記ＤＡＣデータを更新する
デジタルテレビジョン放送装置。
【請求項７】
前記データ記録手段は、前記ＭＥＲ測定器により測定値のほぼ最大値が得られたときの前記ＤＡＣデータを基準ＤＡＣデータとして不揮発的に記録し、
前記制御手段は、両デジタル値の誤差が所定範囲内になるまで、前記誤差に応じて前記基準ＤＡＣデータを増減する
請求項６に記載のデジタルテレビジョン放送装置。
【請求項８】
放送ＴＳを受けてＯＦＤＭ変調を行うＯＦＤＭ変調器とその出力を放送ＲＦ信号に変換するアップコンバータとを有するデジタルテレビジョン放送装置に用いられるＯＦＤＭ変調器用のＩＦＦＴクロックを調整するＩＦＦＴクロック調整方法であって、
設定されたＤＡＣデータをデジタルアナログ変換器に入力してアナログ信号に変換するステップと、
前記アナログ信号を電圧制御発振器に印加することにより、当該アナログ信号に応じた周波数の発振出力を前記ＯＦＤＭ変調器へクロック信号として供給するステップと、
ＭＥＲ測定器を用いて、前記アップコンバータから出力される放送ＲＦ信号に基づいて、そのＭＥＲを測定するステップと、
前記電圧制御発振器から出力される発振出力に基づいてその発振周波数または発振周期に依存して変化するデジタル値を生成するデジタル値生成手段を用いて、ＭＥＲの測定を行いながら前記ＤＡＣデータを更新し、測定値のほぼ最大値が得られたときの前記デジタル値を目標デジタル値として不揮発的に記録するステップと、
前記デジタル値が不揮発的に記録された後、前記デジタル値生成手段から得られるデジタル値と前記目標デジタル値とを逐次比較するステップと、
両デジタル値の誤差が所定範囲内になるまで前記ＤＡＣデータを更新するステップと
を備えたＩＦＦＴクロック調整方法。
【請求項９】
前記ＭＥＲ測定器により測定値のほぼ最大値が得られたときの前記ＤＡＣデータを基準ＤＡＣデータとして不揮発的に記録するステップをさらに含み、
前記ＤＡＣデータを更新するステップでは、両デジタル値の誤差が所定範囲内になるまで、前記誤差に応じて前記基準ＤＡＣデータを増減する
請求項８に記載のＩＦＦＴクロック調整方法。
【発明の詳細な説明】
【技術分野】
【０００１】
本発明は、ＩＦＦＴクロック調整装置、例えば、自主放送コンテンツを複数の配信先に配信する自主放送装置等のデジタルテレビジョン放送装置に用いられるＯＦＤＭ変調器用のＩＦＦＴクロック調整装置およびＩＦＦＴクロックの調整方法に関する。
【背景技術】
【０００２】
ＯＦＤＭ変調器に用いられるＩＦＦＴクロック周波数の精度はＯＦＤＭ変調器の基本的性能である変調誤差（ＭＥＲ）特性を決定する。すなわち、ＩＦＦＴクロック周波数の精度が高ければ高いほど、ＭＥＲ特性が良好となる。ＭＥＲは、ＯＦＤＭ変調器によるＯＦＤＭ変調の変調誤差比（Modulation Error Ratio）であり、デジタル変調において放送局から送信された振幅・位相と実際の振幅・位相との差を数値で表したものである。ＭＥＲの値（ｄＢ値）は大きいほど信号品質が高いと言える。
【０００３】
そのため、従来、放送局内でＯＦＤＭ変調器を使用するときには非常に精度の高い１０ＭＨｚのクロック源（周波数誤差±0.25ppm程度の発振器）からフェーズロックループ（ＰＬＬ）を用いてＩＦＦＴクロックを生成することにより、ＭＥＲ特性を高めている。
【発明の概要】
【発明が解決しようとする課題】
【０００４】
ところで、簡易自主放送装置などでは、そのような精度の高い１０ＭＨｚクロック源を実装することはコスト高となり、好ましくない。そこで、ＩＦＦＴクロックを生成する電圧制御発振器（ＶＣＯ）の一種であるＶＣＸＯ（Voltage Controlled Xtal Oscillator）発振器に対してデジタルアナログ変換器（ＤＡＣ）を用いて、ＶＣＸＯ発振器に直接電圧をかけ、この電圧を微調整することによりＩＦＦＴクロックを微調整し、これによりＭＥＲ特性を改善している。ＶＣＸＯ発振器は、ＬＣ−ＶＣＯのコイル（Ｌ）を水晶発振子（ＸＴＡＬ）に置き換えたもので、周波数安定度が高くなる。
【０００５】
この方法によれば、比較的簡単な構成でＩＦＦＴクロックの精度を高めることが容易となる。しかし、ＶＣＸＯ発振器の温度特性が問題となる。放送ＲＦ信号のＭＥＲ特性は、ＶＣＸＯから発生するＩＦＦＴクロックの周波数に依存して大きく左右される。既存のＶＣＸＯ発振器の温度特性は良好ではなく、調整したＤＡＣ電圧が一定であっても、温度変動によりＶＣＸＯ発振器の特性が変動してしまう。その結果、ＭＥＲ特性が悪化する結果となっていた。
【０００６】
本発明はこのような背景においてなされたものであり、その目的は、ＩＦＦＴクロックの基となる電圧制御発振器の発振出力の温度変動等の影響を受けることなく、放送ＲＦ信号のＭＥＲを良好に維持することができるＩＦＦＴクロック調整装置、デジタルテレビジョン放送装置およびＩＦＦＴクロックの調整方法を提供することにある。
【課題を解決するための手段】
【０００７】
本発明によるＩＦＦＴクロック調整装置は、放送ＴＳを受けてＯＦＤＭ変調を行うＯＦＤＭ変調器とその出力を放送ＲＦ信号に変換するアップコンバータとを有するデジタルテレビジョン放送装置に用いられるＯＦＤＭ変調器用のＩＦＦＴクロックを調整するＩＦＦＴクロック調整装置である。このＩＦＦＴクロック調整装置は、設定されたＤＡＣデータをアナログ信号に変換するデジタルアナログ変換器と、前記デジタルアナログ変換器から出力されたアナログ信号に応じた周波数の発振出力を発生し、前記ＯＦＤＭ変調器へクロック信号として供給する電圧制御発振器と、前記電圧制御発振器から出力される発振出力に基づいてその発振周波数または発振周期に依存して変化するデジタル値を生成するデジタル値生成手段と、前記放送ＲＦ信号に基づいて、そのＭＥＲを測定するＭＥＲ測定器によるＭＥＲ測定を行いながら、前記ＤＡＣデータを更新し、測定値のほぼ最大値が得られたときの前記デジタル値を目標デジタル値として不揮発的に記録するデータ記録手段と、制御手段とを備える。前記制御手段は、前記ＤＡＣデータの設定・更新、前記ＭＥＲ測定器によるＭＥＲ測定および前記データ記録手段の動作を制御するとともに、前記データ記録手段により前記デジタル値が記録された後、前記デジタル値生成手段から得られるデジタル値と前記目標デジタル値とを逐次比較し、両デジタル値の誤差が所定範囲内になるまで、前記誤差に応じて前記ＤＡＣデータを更新する。
【０００８】
この構成において、ＤＡＣデータを更新することにより電圧制御発振器の発振周波数を調整して、ＭＥＲを測定することによって、ＭＥＲがほぼ最大値を示す発振周波数または発振周期が特定される。このときの発振周波数または発振周期は前記デジタル値生成手段が生成するデジタル値として得られる。このデジタル値生成手段には、比較的温度特性の良い外部の基準クロックを利用することにより、温度変動に対しても比較的高精度のデジタル値生成を行うことができる。そこで、この記録したデジタル値を、以降の目標デジタル値として利用する。温度変化や経年変化等の要因により電圧制御発振器の発振出力の周波数が変動したときにはデジタル値生成手段のデジタル値が目標デジタル値からずれる。この場合、両デジタル値の誤差は電圧制御発振器の発振周波数の変動量に比例すると考えられる。そこで、両デジタル値の誤差が所定範囲内になるまで、この誤差に応じてＤＡＣデータを更新することにより、電圧制御発振器の発振出力の所期の周波数が維持される。
【０００９】
このようにして、ＩＦＦＴクロックの基となる電圧制御発振器出力の温度変動等による周波数変動を自動的に補償することができる。その結果、ＩＦＦＴクロック周波数の変動を最小限に抑え、ＭＥＲを良好に維持することができる。
【００１０】
また、前記データ記録手段は、前記ＭＥＲ測定器により測定値のほぼ最大値が得られたときの前記ＤＡＣデータを基準ＤＡＣデータとして不揮発的に記録し、前記制御手段は、両デジタル値の誤差が所定範囲内になるまで、前記誤差に応じて前記基準ＤＡＣデータを増減するようにしてもよい。この構成により、基準ＤＡＣデータを前記誤差に応じて増減させれば、比較的迅速かつ確実に、誤差が０に近づく方向に電圧制御発振器の発振出力の周波数が調整される。
【００１１】
前記デジタル値生成手段としては、前記電圧制御発振器から出力される発振出力を単位時間カウントしたカウント値を前記デジタル値として出力するカウンタを採用することができる。あるいは、前記電圧制御発振器から出力される発振出力の所定個数のパルスをカウントする期間内に、基準クロックをカウントしたカウント値を前記デジタル値として出力するカウンタを採用することができる。
【００１２】
また、前記制御手段は、前記ＭＥＲの最大値を検出するために、まず、広い周波数範囲で粗い周波数インターバルでＭＥＲの計測を行い、ついで、粗い周波数インターバルで見つかった最大値を含む狭い周波数範囲でより細かい周波数インターバルでＭＥＲの計測を行うようにしてもよい。この構成により、比較的迅速に最大値を求めることができる。
【００１３】
本発明によるデジタルテレビジョン放送装置は、放送ＴＳを受けてＯＦＤＭ変調を行うＯＦＤＭ変調器とその出力を放送ＲＦ信号に変換するアップコンバータとを有する放送装置と、前記ＯＦＤＭ変調器に用いられるＯＦＤＭ変調器用のＩＦＦＴクロックを調整するＩＦＦＴクロック調整装置とを備える。前記ＩＦＦＴクロック調整装置は、設定されたＤＡＣデータをアナログ信号に変換するデジタルアナログ変換器と、前記デジタルアナログ変換器から出力されたアナログ信号に応じた周波数の発振出力を発生し、前記ＯＦＤＭ変調器へクロック信号として供給する電圧制御発振器と、前記電圧制御発振器から出力される発振出力に基づいてその発振周波数または発振周期に依存して変化するデジタル値を生成するデジタル値生成手段と、前記放送ＲＦ信号に基づいて、そのＭＥＲを測定するＭＥＲ測定器によるＭＥＲ測定を行いながら前記ＤＡＣデータを更新し、測定値のほぼ最大値が得られたときの前記デジタル値を目標デジタル値として不揮発的に記録するデータ記録手段と、制御手段とを備える。前記制御手段は、前記ＤＡＣデータの設定・更新、前記ＭＥＲ測定器によるＭＥＲ測定および前記データ記録手段の動作を制御するとともに、前記データ記録手段により前記デジタル値が記録された後、前記デジタル値生成手段から得られるデジタル値と前記目標デジタル値とを逐次比較し、両デジタル値の誤差が所定範囲内になるまで、前記ＤＡＣデータを更新する。
【００１４】
本発明によるＩＦＦＴクロック調整方法は、放送ＴＳを受けてＯＦＤＭ変調を行うＯＦＤＭ変調器とその出力を放送ＲＦ信号に変換するアップコンバータとを有するデジタルテレビジョン放送装置に用いられるＯＦＤＭ変調器用のＩＦＦＴクロックを調整するＩＦＦＴクロック調整方法である。このＩＦＦＴクロック調整方法は、設定されたＤＡＣデータをデジタルアナログ変換器に入力してアナログ信号に変換するステップと、前記アナログ信号を電圧制御発振器に印加することにより、当該アナログ信号に応じた周波数の発振出力を前記ＯＦＤＭ変調器へクロック信号として供給するステップと、ＭＥＲ測定器を用いて、前記アップコンバータから出力される放送ＲＦ信号に基づいて、そのＭＥＲを測定するステップと、前記電圧制御発振器から出力される発振出力に基づいてその発振周波数または発振周期に依存して変化するデジタル値を生成するデジタル値生成手段を用いて、ＭＥＲの測定を行いながら前記ＤＡＣデータを更新し、測定値のほぼ最大値が得られたときの前記デジタル値を目標デジタル値として不揮発的に記録するステップと、前記デジタル値が不揮発的に記録された後、前記デジタル値生成手段から得られるデジタル値と前記目標デジタル値とを逐次比較するステップと、両デジタル値の誤差が所定範囲内になるまで、前記ＤＡＣデータを更新するステップとを備える。
【発明の効果】
【００１５】
本発明によれば、ＩＦＦＴクロックの基となる電圧制御発振器の発振出力の温度変動等の影響を受けることなく、放送ＲＦ信号のＭＥＲを良好に維持することができる。
【図面の簡単な説明】
【００１６】
【図１】本発明の実施の形態におけるデジタルテレビジョン放送装置（単にデジタル放送装置ともいう）の構成例を示すブロック図である。
【図２】図１に示したデジタル放送装置の初期動作として、ＭＥＲの測定、ならびに、ＤＡＣデータおよびカウント値の不揮発性メモリへの記録を行うＭＥＲ測定処理の説明用のブロック図である。
【図３】本発明の実施の形態におけるＭＥＲ測定制御の処理フローを表すフローチャートである。
【図４】図１に示したデジタル放送装置の運用時の動作としての周波数自動調整制御の説明用のブロック図である。
【図５】図２で説明した周波数自動調整制御の処理フローを表すフローチャートである。
【図６】図３で説明したＭＥＲ測定制御のための具体的な処理手順を説明するための図である。
【図７】図１に示した実施の形態の変形例に係るデジタルテレビジョン放送装置の構成例を示すブロック図である。
【発明を実施するための形態】
【００１７】
以下、本発明の実施の形態について図面を参照しながら詳細に説明する。
【００１８】
図１に、本実施の形態におけるデジタルテレビジョン（ＴＶ）放送装置（単にデジタル放送装置ともいう）の構成例を示す。
【００１９】
このデジタル放送装置は、大略、ＴＶ放送装置７０とＭＥＲ測定器８０とＩＦＦＴクロック調整装置１００とにより構成される。
【００２０】
放送装置７０は、ＯＦＤＭ変調器７１およびアップコンバータ７３を含む。
【００２１】
ＯＦＤＭ変調器７１は、例えばＳＤ／ＨＤ−ＭＰＥＧ２信号およびデータ放送信号を含むトランスポート信号（放送ＴＳ）を受けてＯＦＤＭ変調を行い、ＯＦＤＭ変調出力を生成する。アップコンバータ７３は、このＯＦＤＭ変調出力をＶＨＦ／ＵＨＦ／ＣＡＴＶなどの所望のチャンネルのＲＦ信号（放送ＲＦ信号）に変換する。このＲＦ信号は、必要に応じて混合器等を介してテレビ受信機（通常、複数台）へ伝送され、あるいは、アンテナ９０を介して電波として送信される。
【００２２】
ＩＦＦＴクロック調整装置１００は、制御部１０、デジタルアナログコンバータ（ＤＡＣ）２０、不揮発性メモリ３０、電圧制御発振器４０、カウンタ５０、およびタイマ６０を含む。
【００２３】
制御部１０は、中央制御装置（ＣＰＵ）およびメモリ等（図示せず）からなり、ＩＦＦＴクロック調整装置の各部の制御および本デジタル放送装置に必要な機能を実現するためのソフトウェア処理を実行する。本実施の形態ではそのような機能として、ＭＥＲ測定制御部１１および周波数調整制御部１４を含む。
【００２４】
デジタルアナログコンバータ（ＤＡＣ）２０は、制御部１０（内のＭＥＲ測定制御部１１）から与えられたデジタルデータであるＤＡＣデータを対応するアナログ信号に変換する回路である。
【００２５】
不揮発性メモリ３０は、電源が切断された状態でも記憶しているデータを保持する例えばＥＥＰＲＯＭ等の記憶装置（データ記録手段）であり、本実施の形態では、ＤＡＣデータを不揮発的に記憶（記録）する記憶エリア３１と、デジタル値を不揮発的に記憶（記録）する記憶エリア３３とを有する。
【００２６】
電圧制御発振器（ＶＣＸＯ発振器）４０は、ＤＡＣ２０から与えられたアナログ信号の大きさ（ここでは電圧値）に比例した周波数の発振出力を発生する回路である。このＶＣＸＯ発振器４０の発振出力がＩＦＦＴクロックの基となるクロック信号としてＯＦＤＭ変調器７１に供給される。本実施の形態では、上述したＶＣＸＯ発振器を用いている。本発明を特に限定するものではないが、本例でのＶＣＸＯ発振器４０の発振出力（クロック信号）の目的の周波数は、ＩＦＦＴクロックの８倍の周波数（６５ＭＨｚ）である。ＶＣＸＯ発振器４０から得られるクロック信号はＯＦＤＭ変調器７１のシステムクロックとして利用される。
【００２７】
タイマ６０は、制御部１０により起動され、所定の単位時間に相当する基準クロックのパルス数をカウントする毎に（すなわち単位時間の満了時に）出力信号（タイムアウト信号）を発生する時限回路である。本実施の形態における単位時間は１秒程度の時間であり、基準クロックとしては、外部の例えば２７ＭＨｚの温度補償型水晶発振器（ＴＣＸＯ：Temperature-Compensated Crystal Oscillator）から得られたクロックを利用する。但し、本発明において使用する基準クロックは２７ＭＨｚに限られるものではない。本発明において基準クロックの周波数精度は必ずしも高くなくてもよい。すなわち、基準クロックを発生する個々の温度補償型水晶発振器の発振周波数のばらつき（公称値に対する誤差）は問題とならない。その公称値に対する実際の周波数値の誤差が大きくても、実際の周波数値の温度変化や経年変化が小さければ足りる。
【００２８】
カウンタ５０およびタイマ６０は、本発明におけるデジタル値生成手段として機能する。すなわち、カウンタ５０は、タイマ６０の出力（タイムアウト信号）に従って、単位時間内のＶＣＸＯ発振出力の出力パルス数をカウントして、そのカウント値をデジタル値として生成する。単位時間内のカウント値はＶＣＸＯ発振出力の発振周波数に相当する。カウンタ５０のビット数は単位時間内の目標周波数（この例では６５ＭＨｚ）のクロック信号を十分にカウントできるビット数（例えば３２ビット）とする。
【００２９】
ＭＥＲ測定器８０は、アップコンバータ７３から出力されるＲＦ信号のＭＥＲを測定する装置である。上述したように、ＯＦＤＭ変調器によるＯＦＤＭ変調の変調誤差比（Modulation Error Ratio）であるＭＥＲは、デジタル変調において放送局から送信された振幅・位相と、実際の振幅・位相との差を数値で表したものであり、ＭＥＲの値（ｄＢ値）は大きいほど信号品質が高いと言える。
【００３０】
制御部１０内のＭＥＲ測定制御部１１は、ＤＡＣデータの設定・更新、ＭＥＲ測定器８０によるＭＥＲ測定、カウンタ５０によるカウント動作（デジタル値生成動作）および前記データ記録手段の動作を制御する機能を有する。より具体的には、デジタル放送装置の初期動作として、ＭＥＲ測定器８０を利用したＭＥＲ測定処理を実行し、その処理結果に応じて決まる特定の時点において、カウンタ５０によるＶＣＸＯ発振器４０の発振出力をカウントしたカウント値を、目標カウント値（目標デジタル値）として不揮発性メモリ３０内の記憶エリア３３に記録する。制御部１０内のＭＥＲ測定処理のさらなる詳細については後述する。また、同時点のＤＡＣデータを記憶エリア３１に記録する。
【００３１】
制御部１０内の周波数調整制御部１４は、不揮発性メモリ３０にカウント値（デジタル値）が記録された後、ＶＣＸＯ発振器４０の発振出力をカウントする単位時間内のカウント値と目標カウント値とを逐次比較し、両カウント値の誤差が所定範囲内になるまで、ＤＡＣデータを更新する機能を有する。
【００３２】
なお、制御部１０内の各部はＣＰＵによるソフトウェア処理で実現されるものとして示したが、それらの一部または全部はハードウェアによって実現されてもよい。
【００３３】
以下、このような構成の本実施の形態の具体的な動作を説明する。
【００３４】
図２は、図１に示したデジタル放送装置の初期動作として、ＭＥＲの測定、ならびに、ＤＡＣデータおよびカウント値の不揮発性メモリへの記録を行うＭＥＲ測定処理の説明用のブロック図である。この処理を制御部１０（内のＭＥＲ測定制御部１１）が実行する場合の処理フローを図３に示す。このようなＭＥＲ測定処理は、デジタル放送装置の運用開始時および必要時に行うことができる。
【００３５】
このＭＥＲ測定処理において、制御部１０内のＭＥＲ測定制御部１１は、まず、初期的に設定されたＤＡＣデータをＤＡＣ２０へ出力して、当該ＤＡＣデータを対応するアナログ信号に変換させる（Ｓ１１）。このＤＡＣ２０から出力されたアナログ信号はＶＣＸＯ発振器４０（電圧制御発振器）に印加され、当該アナログ信号に応じた周波数の発振出力が出力され、ＯＦＤＭ変調器７１へＩＦＦＴクロックの基となるクロック信号として与えられる。
【００３６】
ＯＦＤＭ変調器７１は、ＩＦＦＴクロックに従って、外部から受けた放送ＴＳをＯＦＤＭ変調する。その出力はアップコンバータ７３により放送ＲＦ信号に変換されて出力される。
【００３７】
ＭＥＲ測定器８０は、放送ＲＦ信号を受けて、そのＭＥＲを測定する。ＭＥＲ測定制御部１１は、ＭＥＲ測定器８０から測定結果のＭＥＲ値を確認するとともに（Ｓ１２）、その最大値（ピーク値）の判定を行う（Ｓ１３）。さらに、最大値が検出されるまで、ＤＡＣデータを更新し（Ｓ１４）、最大値の判定処理を続行する。
【００３８】
ＭＥＲの最大値が検出されたとき、すなわち測定値のほぼ最大値が得られたとき（Ｓ１３，Ｙｅｓ）、この判定処理を抜け出して、現時点のカウンタ５０のカウント値を目標カウント値として不揮発性メモリ３０の記憶エリア３３に記録する（Ｓ１５）。これと共に、現時点のＤＡＣデータを基準ＤＡＣデータとして不揮発性メモリ３０の記憶エリア３１に記録する（Ｓ１６）。ステップＳ１５とＳ１６の順序は逆であってもよい。
【００３９】
図４は、図１に示したデジタル放送装置の運用時の動作としての周波数自動調整制御の説明用のブロック図である。この処理を制御部１０（内の周波数調整制御部１４）が実行する場合の処理フローを図５に示す。
【００４０】
周波数調整制御部１４は、まず、不揮発性メモリ３０から目標カウント値を読み出して、比較部１２の一方の入力端へ入力する（Ｓ２１）。ついで、不揮発性メモリ３０から基準ＤＡＣデータを読み出してＤＡＣ２０を介してＶＣＸＯ発振器４０へ入力する（Ｓ２２）。実際上、基準ＤＡＣデータは、図４に示すように加減算部１３でその値を増減できるように構成されている。加減算部１３は初期的には０を加算（またはスルー）する状態とする。
【００４１】
ついで、タイマ６０を起動する（Ｓ２３）。タイマ６０は、単位時間（ここでは１秒）毎に設定時間の満了のタイミングを表すタイムアウト信号を発生する。周波数調整制御部１４は、このタイムアウト信号に同期して求まる単位時間内のＶＣＸＯ発振出力のカウント値を目標カウント値と比較する（Ｓ２４）。このカウントは複数回連続して実行し、複数回の測定結果の平均値を求めるようにしてもよい。周波数調整制御部１４は、両カウント値の誤差が予め設定された所定範囲内にあるかどうかを監視する（Ｓ２５）。所定範囲内にある場合には、ステップＳ２４へ戻って単位時間内の誤差の監視を継続する。この場合、ＤＡＣ２０に与えられるＤＡＣデータはそのまま維持される。
【００４２】
誤差が予め設定された所定範囲から外れたとき（Ｓ２５，Ｎｏ）、その誤差に応じて、加減算部１３により基準ＤＡＣデータを所定量増加または減少させる（Ｓ２６）。増加させるか減少させるかは、誤差の符号に基づいて定まる。例えば、カウント値が目標カウント値よりも低い側に所定範囲を外れた場合には、ＤＡＣデータを所定量増加させることによりＶＣＸＯ発振出力の周波数を高める。反対にカウント値が目標カウント値よりも高い側に外れた場合には、ＤＡＣデータを所定量減少させることによりＶＣＸＯ発振出力の周波数を低下させる。このようにして、両カウント値の誤差が所定範囲内に入るまで、誤差に応じてＤＡＣデータを更新していく。
【００４３】
その後、ステップＳ２４へ戻って上記の処理を繰り返す。これにより、ＶＣＸＯ発振器４０の発振出力の周波数が誤差要因により変動しても、ＭＥＲ測定処理時にほぼ最大のＭＥＲ値が得られたときの目標カウント値をターゲットとしてＤＡＣデータが微調整されることになる。したがって、この周波数自動調整制御により所望のＶＣＸＯ発振出力の周波数ひいてはＩＦＦＴクロックの周波数を高精度に目標周波数に合わせて維持することができる。その結果、ＶＣＸＯ発振器の温度特性や経年変化等の誤差要因の存在に拘わらず、ＭＥＲ値をほぼ最大に維持することができる。
【００４４】
基準クロックとしての比較的温度特性の良好な例えば２７ＭＨｚのクロックは既存のＯＦＤＭ変調器などに実装されており、このクロックを利用することはコスト高にならない。また、ＶＣＸＯ発振器も既存のＯＦＤＭ変調器の基本機能なので、実装されている。不揮発性メモリなども通常、デジタル放送装置に搭載されている。簡易変調器にはＶＣＸＯ発振器に電圧を印加するためのＤＡＣも実装されている。このように、本実施の形態において利用する部品はいずれも特別に追加することが必要なものではなく、デジタル放送装置のコスト増を招来するものではない。また、ＶＣＸＯ発振器の良好な温度特性は本発明では特に必要としない。ＭＥＲ調整の精度を高精度に設定すれば、ＶＣＸＯ発振器の経年変化や温度特性による変動を、デジタル値生成手段としてのカウンタのカウント値というデジタル値で管理できるので、ＯＦＤＭ変調特性を格段に向上させることができる。
【００４５】
ここで、ＭＥＲの最大値を比較的迅速に求める手法について説明する。ＭＥＲの測定では、必要な周波数分解能での所定の周波数インターバルで、ＤＡＣデータの可変範囲内でＤＡＣデータの値を更新していき、各値でのＭＥＲの値を測定していけば足りる。しかし、このようなシーケンシャルなスキャン処理は処理時間を要する。
【００４６】
図６は、処理時間を短縮可能なＭＥＲ測定制御のための具体的な処理手順を説明するための図である。
【００４７】
効率的にＭＥＲの最大値を検出するために、まずは図６（ａ）に示すように、広い周波数範囲で粗い周波数インターバルでＭＥＲの計測を行う。ついで、図６（ｂ）に示すように、粗い周波数インターバルで見つかった最大値を含む狭い周波数範囲（局所周波数範囲）でより細かい周波数インターバルでＭＥＲの計測を行う。ここでは２段階の周波数インターバルを使用したが、１段階または３段階以上であってもよい。
【００４８】
図７に、図１に示した実施の形態の変形例に係るデジタルテレビジョン放送装置の構成例を示す。図１の構成と異なる点についてのみ説明する。
【００４９】
この構成では、カウンタ５０に代えてカウンタ５０ａを用い、タイマ６０に代えてカウンタ６５を用いる。図１の構成におけるカウンタ５０は、単位時間内のＶＣＸＯ発振出力の出力パルス数をカウントしたのに対して、図７の構成におけるカウンタ５０ａは、ＶＣＸＯ発振出力の所定の個数（ｎ個）のパルスをカウントする。カウンタ５０ａは、ｎ個のパルスをカウントしたとき、ｎパルスカウント出力を発生する。カウンタ６５はカウンタ５０ａがＶＣＸＯ発振出力のカウントを開始してからｎパルスカウント出力を発生するまでの時間を、逐次、基準クロックに基づいて測定する。基準クロックは上記と同じく２７ＭＨｚクロックでよいが、これに限るものではない。数値ｎは、例えば、ＶＣＸＯ発振器の目標とする発振周波数の値に応じて設定することができる。この測定された時間は、カウンタ６５のカウント値であるデジタル値として出力され、ＶＣＸＯ発振出力のｎパルス周期、すなわち、１周期のｎ倍の時間に相当する。カウンタ６５により得られるデジタル値は、ＶＣＸＯ発振出力の発振周期に依存して変化する。この構成では、カウンタ５０ａおよびカウンタ６５がデジタル値生成手段として機能する。
【００５０】
また、図７の構成では、誤差に応じて、加減算部１３により基準ＤＡＣデータを所定量増加または減少させる際、誤差の符号とＤＡＣデータの増減の関係が図１の構成と逆になる。すなわち、カウント値が目標カウント値よりも低い側に所定範囲を外れた場合には（すなわち、発振周期が短くなった場合には）、ＤＡＣデータを所定量減少させることによりＶＣＸＯ発振出力の周波数を低下させる。反対にカウント値が目標カウント値よりも高い側に外れた場合には（すなわち、発振周期が長くなった場合には）、ＤＡＣデータを所定量増加させることによりＶＣＸＯ発振出力の周波数を高くする。
【００５１】
以上、本発明の好適な実施の形態について説明したが、上記で言及した以外にも種々の変形、変更を行うことが可能である。例えば、タイマ６０のタイムアウト時間は１秒としたが、必ずしも１秒に限るものではない。ＤＡＣデータを基準ＤＡＣデータとして不揮発的に記録し、その後、この基準ＤＡＣデータを利用する構成は必ずしも本発明において必須ではない。電圧制御発振器としてＶＣＸＯを用いたが、必ずしもＶＣＸＯに限るものではない。
【００５２】
上記実施の形態で説明した機能（または方法のステップ）をコンピュータで実現するためのコンピュータプログラムおよびプログラムをコンピュータ読み取り可能に格納した記録媒体も本願発明に含みうる。
【符号の説明】
【００５３】
１０…制御部
１１…ＭＥＲ測定制御部
１２…比較部
１３…加減算部
１４…周波数調整制御部
２０…デジタルアナログ変換器（ＤＡＣ）
３０…不揮発性メモリ（データ記録手段）
３１…ＤＡＣデータの記憶エリア
３３…カウント値の記憶エリア
４０…電圧制御発振器（ＶＣＸＯ）
５０，５０ａ…カウンタ（デジタル値生成手段）
６０…タイマ（デジタル値生成手段）
６５…カウンタ （デジタル値生成手段）
７０…ＴＶ放送装置
７１…ＯＦＤＭ変調器
７３…アップコンバータ
８０…ＭＥＲ測定器
９０…アンテナ
１００…ＩＦＦＴクロック調整装置
【図１】
2014168164.tif 000003
【図２】
2014168164.tif 000004
【図３】
2014168164.tif 000005
【図４】
2014168164.tif 000006
【図５】
2014168164.tif 000007
【図６】
2014168164.tif 000008
【図７】
2014168164.tif 000009